(57)【要約】【課題】  遺伝子レベルの保全のため資材等の持込が制限される現場、あるいは資材、機材等の搬入が困難な現場において、現地周辺から得られる材料のみを用いて生育基盤を形成できると共に、生育基盤の侵食防止と乾燥防止を可能とし、裸地部の良好な植生回復を図ることができる裸地の植生復元方法を提供する。【解決手段】  裸地１に少なくとも採取土２を張り付けた後、該採取土２の表面部に石礫あるいは木材チップ３，３…を張り付けて被覆する裸地の植生回復方法を提供する。【選択図】  図１
2006104755.tif 000002
【特許請求の範囲】
【請求項１】
裸地に少なくとも採取土を張り付け、該採取土の表面部に石礫あるいは木材チップを張り付けて被覆することを特徴とする裸地の植生回復方法。
【請求項２】
裸地に少なくとも採取土、ファイバー類、採取土を順次積層状態に張り付け、上層の該採取土の表面部に石礫あるいは木材チップを張り付けて被覆することを特徴とする裸地の植生回復方法。
【請求項３】
裸地にファイバー類を張り付けた後に少なくとも採取土を張り付け、該張り付けた採取土の表面部に石礫あるいは木材チップを張り付けて被覆することを特徴とする裸地の植生回復方法。
【請求項４】
上記採取土は、土壌改良材が混合されていることを特徴とする請求項１，２又は３記載の裸地の植生回復方法。
【請求項５】
上記石礫あるいは木材チップ間の相互の間隙部に植栽あるいは挿し木がなされることを特徴とする請求項１，２，３又は４記載の裸地の植生回復方法。
【発明の詳細な説明】
【技術分野】
【０００１】
本発明は、遺伝子レベルの保全が求められる地域等、遺伝子攪乱を招く虞のある資材等の持込が制限されるような現場、あるいは地理的、経済的理由等により、遠隔地からの資材、機材等の搬入が困難な現場に於ける裸地部に植生を復元・回復するための裸地の植生復元方法に関する。
【背景技術】
【０００２】
裸地部に植生を回復させるための方法は、人力施工方法と機械施工方法に大別され、様々な方法が発明され実用化されている。
国内で実施されている一般的な緑化工法の工法分類によれば、前者は植生ネット工、植生マット工、植生袋工等、後者は種子散布工、客土種子吹付工、厚層基材吹付工等が該当する。
【０００３】
当技術分野に於いて、本出願人もこれまで例えば機械施工方法としては特許文献１等、人力施工方法としては特許文献２等を発明し実用化している。
【特許文献１】特許第１８８３２５４号公報
【特許文献２】特許第２６１９３２７号公報
【発明の開示】
【発明が解決しようとする課題】
【０００４】
植生回復の対象となる裸地部は、法面、山腹崩壊地、海岸砂地等様々であるが、特別な制約がない限りにおいては前述したような既存の緑化工法を用いることにより、植生回復させることが可能である。
【０００５】
然しながら、例えば、遺伝子レベルの保全が求められる地域等のように遺伝子攪乱を招く虞のある資材等の持込が制限されるような現場、あるいは地理的、経済的理由等により、遠隔地からの資材、機材等の搬入が困難な現場では、現地周辺で得られる材料を用いた施工が余儀なくされることがある。この場合においては既存の緑化工法では充分に対応することができないという問題があった。
【０００６】
又、植生回復を図る場合、植物が生育する基盤（以下、生育基盤という）を、降雨等による侵食から防止することが極めて重要な条件となる。特に、裸地部に勾配がある場合には、流下水に対する侵食防止を図ることが重要な条件となる。
【０００７】
この場合、一般的な緑化工法では、植生基材に侵食防止剤（セメント系あるいは高分子系樹脂等）を混合したものを吹付けたり、緑化基礎工として網張工（金網張工あるいは樹脂ネット張工等）を併用したり、形成した生育基盤の上をマルチネットで被覆する等の方法により耐侵食性を確保している。
【０００８】
然しながら、前述したような通常の緑化工の適用が困難な現場における植生回復においては、資材等の持込が制限され、或いは、資材、機材等の搬入が困難であるため、既存の緑化工法では対応できなかった。
【０００９】
更に、前述したような通常の緑化工の適用が困難な現場における植生回復においては、施工後に灌水等の植生管理作業の実施が困難な場合が多いことから、施工時期や施工地の気象条件によっては、施工後の生育基盤の乾燥を防止し、植物の発芽生育が阻害されないようにするための対策を予め講じておくことが必要となる。
【００１０】
以上の現状に鑑み、本発明は、遺伝子レベルの保全のため資材等の持込が制限される現場、あるいは資材、機材等の搬入が困難な現場に於いて、現地周辺から得られる材料のみを用いて生育基盤を形成できると共に、生育基盤の侵食防止と乾燥防止を可能とし、裸地部の良好な植生回復を図ることができる裸地の植生復元方法を提供することを目的とする。
【課題を解決するための手段】
【００１１】
上記の課題を解決すべく、本発明は以下の構成を提供する。
請求項１に係る発明は、裸地に少なくとも採取土を張り付け、該採取土の表面部に石礫あるいは木材チップを張り付けて被覆することを特徴とする裸地の植生回復方法を提供するものである。
【００１２】
請求項２に係る発明は、裸地に少なくとも採取土、ファイバー類、採取土を順次積層状態に張り付け、上層の該採取土の表面部に石礫あるいは木材チップを張り付けて被覆することを特徴とする裸地の植生回復方法を提供するものである。
【００１３】
請求項３に係る発明は、裸地にファイバー類を張り付けた後に少なくとも採取土を張り付け、該張り付けた採取土の表面部に石礫あるいは木材チップを張り付けて被覆することを特徴とする裸地の植生回復方法を提供するものである。
【００１４】
請求項４に係る発明は、上記採取土は、土壌改良材が混合されていることを特徴とする請求項１，２又は３記載の裸地の植生回復方法を提供するものである。
請求項５に係る発明は、上記石礫あるいは木材チップ間の相互の間隙部に植栽あるいは挿し木がなされることを特徴とする請求項１，２，３又は４記載の裸地の植生回復方法を提供するものである。
【発明の効果】
【００１５】
本発明の請求項１記載の発明によれば、裸地に少なくとも採取土を張り付け、該採取土の表面部に石礫あるいは木材チップを張り付けて被覆する裸地の植生回復方法を提供するので、施工地の周辺から得られる採取土、石礫あるいは木材チップ等を主体に用いることが可能となり、遠隔地からの資材の搬入の必要がなく、地域の遺伝子を撹乱する虞がない。
【００１６】
又、これらの資材は周辺地域から得ることができるため、経済的にも安価であり、遺伝子保全地域や、経済的に遠隔地からの資材搬入が困難な地域で、良好な裸地の植生回復を図ることができる。
【００１７】
更に、採取土を主体とする生育基盤の上に石礫あるいは木材チップを張り付けて被覆することにより、生育基盤の侵食と乾燥を防止することができ、生育基盤の保水性を高め、植物の生育を促進させることができる。
【００１８】
請求項２記載の発明によれば、裸地に少なくとも採取土、ファイバー類、採取土を順次積層状態に張り付け、上層の該採取土の表面部に石礫あるいは木材チップを張り付けて被覆する裸地の植生回復方法を提供するので、請求項１記載の発明の効果に加え、ファイバー類も周辺地域から得ることができるため、経済的にも安価であると共に、ファイバー類が生育基盤の保水性を高め、植物の生育を促進させることができる。
【００１９】
請求項３記載の発明によれば、裸地にファイバー類を張り付けた後に少なくとも採取土を張り付け、該張り付けた採取土の表面部に石礫あるいは木材チップを張り付けて被覆する裸地の植生回復方法を提供するので、請求項２記載の発明と略同様の効果が期待できる。
【００２０】
請求項４記載の発明によれば、上記採取土は、土壌改良材が混合されているので、請求項１，２又は３記載の発明の効果に加え、採取土の性状に応じた土壌改良材による土壌改良の効果が期待できる。
【００２１】
請求項５記載の発明によれば、上記石礫あるいは木材チップ間の相互の間隙部に植栽あるいは挿し木がなされるので、請求項１，２，３又は４記載の発明の効果に加え、植栽あるいは挿し木によって、裸地部の良好な裸地の植生回復を図ることができる。
【発明を実施するための最良の形態】
【００２２】
以下、実施例を示した図面を参照しつつ本発明の実施の形態を説明する。
図１（ａ）は本発明の第１の態様を示し、該第１の態様は、裸地１の上に施工地の周辺から採取する採取土２を張り付け、更に採取土２の表面部に石礫あるいは木材チップ３，３…を張り付けて被覆することにより裸地の植生復元を図る方法である。
【００２３】
図１（ｂ）は本発明の第２の態様を示し、該第２の態様は、裸地１の上に、順次、下層採取土２Ａとなる採取土２を張り付け、下層採取土２Ａ上に後述するファイバー類４を張り付け、ファイバー類４上に上層採取土２Ｂとなる採取土２を張り付けてサンドイッチ状の積層生育基盤を形成し、上層採取土２Ｂの表面部に石礫あるいは木材チップ３，３…を張り付けて被覆することにより裸地の植生復元を図る方法である。
【００２４】
前記ファイバー類４は、主に保水性の保持を目的に併用する資材である。その種類及び質は限定されるものではないが、特に、遺伝子レベルの保全が求められる地域等のように、遺伝子攪乱を招く虞のある資材等の持込が制限されるような現場においては、現地周辺で採取した植物をそのまま張り付けたり、マット状に加工した植物等を張り付けたりするのが好適である。この他、落葉落枝等を用いてもよい。張り付けるファイバー類４の厚さは、採取土２の種類及び質によっても異なるが、通常はあまり厚くなると逆に乾燥を助長することになるため５cm程度以下が好適である。
【００２５】
図１（ｃ）は本発明の第３の態様を示し、該第３の態様は、裸地１の上にファイバー類４を張り付けた後、その上に採取土２を張り付け、更に張り付けた採取土２の表面部に石礫あるいは木材チップ３，３…を張り付けて被覆することにより裸地の植生復元を図る方法である。尚、第２の態様と同様に、張り付けるファイバー類４の厚さは、採取土２の種類及び質によっても異なるが、５cm程度以下が好適である。
【００２６】
上述した第１乃至３の態様は、本発明の基本構成で、施工対象となる裸地１は、平地でも斜面でもよく、地質も土砂であっても岩盤であっても制約は受けない。斜面の場合には、張り付けた石礫あるいは木材チップ３が安定保持できる勾配が一応の限界となるが、後述するように、採取土２に水を混合することにより、より急勾配での施工が可能となる。
【００２７】
採取土の張り付け厚さは、施工対象地の立地条件、気象条件、あるいは緑化基礎工の状況等に応じて適宜設定される。一般的に、安定性を考慮して施工対象地が急勾配の場合には平均的な厚さは３０cm以下とするのが望ましいが、緩勾配の場合にはこの限りではない。埋土種子が含まれる採取土であれば、５cm程度の張り付け厚さでも植生を復元することができる。また、採取土、ファイバー類、石礫あるいは木材チップの施工は人力による施工のほか、施工機械を用いた撒き出し、吹付け、エアー搬送など、既存の施工方法を用いることもできる。
【００２８】
第４の態様は、図示は省略するが、前述した第１乃至第３の態様で使用する採取土２に土壌改良材を混合することにより裸地の生育基盤の土壌物理性を改善して裸地の植生復元を図る方法である。
【００２９】
採取土２は、採取する場所によりその質は大きく異なる。本発明の第１乃至第４の態様及び後述する第５の態様においては、採取土２を傾斜地等においても安定保持させるために、通常は水を加えて攪拌した採取土２を裸地１及びファイバー類４に張り付ける。
【００３０】
この際、例えば採取土が粘性に富むものであると、形成される生育基盤が乾燥した時非常に硬くなり、植物の発芽生育を阻害するが、土壌物理性を改良することにより植物の発芽生育を促進させることができる。
【００３１】
土壌物理性を改良するための土壌改良材としては、例えば、各種コンポスト、無機質系土壌改良材等があり、これらに限定されることなく種々の材料を用いることができるが、本発明においては、遺伝子保全地域等、即ち、遺伝子攪乱を招く虞のある資材等の持込が制限されるような現場がその施工対象となることから、その場合には周辺から採取した落葉落枝、植物（木本類や草本類）の裁断片、あるいは穀類などの脱穀殻や切りわら等を土壌改良材として用いるのが好適である。
【００３２】
図１（ｄ）は本発明の第５の態様を示し、該第５の態様は、第１の態様の張り付けた石礫あるいは木材チップ３，３…の間隙に植栽あるいは挿し木を行うものである（図は挿し木の例を示す。）。
【００３３】
挿し木の方法は、裸地部１の地質に応じて、挿し木５，５…を採取土２によって形成された生育基盤内に挿入したり（例えば、挿し木５Ａ）、地山である裸地１まで挿入したり（例えば、挿し木５Ｂ）するが、挿し木５，５…の活着を高めるためには、地山（裸地１）までしっかり挿入する必要がある。
【００３４】
又、挿し木５は極力深挿しとすることにより乾燥害を防止することができる。尚、挿し木５は、石礫あるいは木材チップ３，３…を完全に張り付けた後で行うと、石礫あるいは木材チップ３，３…の緩みや、生育基盤の固結により挿入が困難となる場合があることから、石礫あるいは木材チップ３，３…を張り付ける工程において順次行うことが望ましい。更に、挿し木５に代えて、苗木や球根類等を石礫あるいは木材チップ３，３…の間隙に植え付けることもできる。
【００３５】
上述した各態様に於いて、採取土２は、極力現場周辺から採取したものを使用するのが好ましい。しかし、他地域や遠隔地からの持込が可能であり、それが許容される場合はこの限りではない。採取土２は、極力現地表土等、埋土種子が含まれるものが好適である。
【００３６】
又、現地で採取した種子を採取土２と混合して用いることにより、植生の回復を大幅に早めることができる。更に、必要に応じて肥料等の補助資材を混合してもよい。採取土２を張り付ける厚さは特に限定されないが、４乃至３０cm程度の厚さを確保すれば順調な植生回復が期待できる。
【００３７】
張り付ける石礫あるいは木材チップ３，３…は、一般的には、採取土２に水を混合して固練り状態にしたものを張り付け、その上にタイルを張る如く順次張り付けていく。張り付けは、前もって張り付けられた採取土２の表面に、石礫あるいは木材チップ３，３…を適宜並べるように配置するが、極力採取土２の表層に食い込ませるように設置して付着性を高めるようにするのが好適である。
【００３８】
この場合、添加する水の量によって、石礫あるいは木材チップ３，３…は、採取土２の含水量が高い場合には練石積状に、含水量が低い場合には空石積状に配置される。従って、採取土２の含水量が高い場合にはかなりの急勾配まで採取土２の上に石礫あるいは木材チップ３，３…を張り付けることができる。
【００３９】
石礫あるいは木材チップ３，３…の間隙は、種子の発芽が可能な程度空けるようにする場合もあるが、特にその間隔は限定されるものではない。用いる石礫あるいは木材チップ３，３…は形状が不定形となる場合がほとんどであるため、実際の施工においては特に間隔を考慮して施工する必要性は生じない。仮に、石礫あるいは木材チップ３，３…をかなり密着させて施工した場合でも、相互を接着剤等で接合しているわけではないので、植物の発芽生育に支障を来たすことはない。
【００４０】
使用する石礫あるいは木材チップ３は周辺から採取したものでよく、石礫の場合は適宜割り石したり、木材チップの場合には、粉砕したり鉈等でカットした物を用いる。これら調整方法は特に限定されるものではない。張り付ける石礫あるいは木材チップ３の大きさは特に限定されないが、径５乃至１５cm程度、厚さ１乃至５cm程度のものが扱いやすく、天然の丸石よりも、砕石した角張った石、厚いものよりも薄いものの方が、採取土２の表面に食い込ませて施工しやすく、耐侵食性と保水性を確保する上でも好適である。尚、木材チップは、風倒木、流木、あるいは間伐材等の有効利用法としても有効であるが、石礫と比較して軽く、分解も早いため、風衝地での施工や、耐侵食性が特に求められる場合は石礫の方が好適である。
【００４１】
本発明の工法は、裸地に対して全面に面的に施工するほか、例えば各種法枠工の中詰工として適用したり、治山現場等で行われる筋工として適用したり、配置を千鳥状、島状、斑状にする等、部分的に施工することもできる。部分的に施工する場合は、裸地の表層部を掘り下げて、張り付けた石礫あるいは木材チップの表面が周囲の裸地の表面と同程度の高さになるように調整すると、保水性と耐侵食性の向上を図る上で好適である。又、裸地部が傾斜地の場合は、階段状あるいは溝状に掘り下げるなどしてから本発明の手法を適用するのが好適である。
【００４２】
施工面を周辺の裸地部から掘り下げることにより、保水性と耐侵食性を向上させる効果が得られるほか、掘り下げた掘削土を採取土として利用することにより、現場周辺に採取土の採取地が得られにくい場合においても、周辺の環境を攪乱することなく本工法を適用することができる。
【００４３】
斯くして、本発明の第１の態様によれば、施工地の周辺から得られる採取土、石礫あるいは木材チップ等を主体に用いることが可能となり、他地域や遠隔地からの資材の搬入の必要がなく、地域の遺伝子を撹乱する虞がない。
【００４４】
又、これらの資材は周辺地域から得ることができるため、経済的にも安価であり、遺伝子保全地域や、経済的に他地域や遠隔地からの資材搬入が困難な地域で、良好な裸地の植生回復を図ることができる。
【００４５】
更に、採取土を主体とする生育基盤の上に石礫あるいは木材チップを張り付けて被覆することにより、生育基盤の侵食と乾燥を防止することができ、生育基盤の保水性と耐侵食性を高め、植物の生育を促進させることができる。
【００４６】
第２の態様及び第３の態様によれば、第１の態様の効果に加え、ファイバー類も周辺地域から得ることができるため、経済的にも安価であると共に、ファイバー類が生育基盤の保水性を高め、植物の生育を促進させることができる。
【００４７】
第４の態様によれば、第１，２又は３の態様の効果に加え、土壌改良材による土壌改良の効果が期待できる。
第５の態様によれば、第１，２，３又は４の態様の効果に加え、植栽あるいは挿し木によって、裸地部の良好な裸地の植生回復を図ることができる。又、植栽あるいは挿し木等の材料は現地周辺で採取することができる。
【００４８】
上述したように、本発明の第１乃至第５の態様の裸地の植生回復方法によれば、１）現地周辺から得られる材料のみを用いて生育基盤を形成し、２）同様に現地周辺から得られる材料のみを用いて形成した生育基盤の侵食防止と乾燥防止を図ることにより、３）裸地部の良好な植生回復を図ることができることから、遺伝子レベルの保全が求められる地域等のように、遺伝子攪乱を招く虞のある資材等の持込が制限されるような現場、あるいは地理的、経済的理由等により、他地域や遠隔地からの資材、機材等の搬入が困難な現場のような、通常の緑化工法の適用が困難な現場において好適に裸地の植生回復を図ることができる。
【００４９】
即ち、通常の緑化工では併用（利用）可能な、生育基盤の侵食を防止するための侵食防止剤、緑化基礎工、乾燥を防止するための灌水に代表される裸地の植生管理工の併用を伴うことなく、植物を効率よく発芽生育させることができる。
【００５０】
本発明の適用による植生回復が求められる現場としては、遺伝子レベルの攪乱防止が求められる原生自然環境保全地域、森林生態系保護地域、系統レベルでの攪乱防止が求められる国立公園の特別保護地区、自然環境保全地域等が該当するほか、地理的、経済的に他地域や遠隔地からの資材、機材の搬入が困難な高山地帯や、経済的に使用できる資材や機材が制限される地域における緑化等をあげることができる。
【産業上の利用可能性】
【００５１】
本発明は、地域の遺伝子攪乱を防止する必要がある場合等、一般的な緑化工法で使用する汎用的資材（市販されている各種生育基盤材、緑化用外来牧草等)の使用に制限がある場合、あるいは地理的に不便な高山地帯における緑化等、資材の運搬・入手等に制約がある地域や場合等において、周辺から採取した資材のみを用いて植生回復させることができる。
【００５２】
又、山岳地帯で発生した比較的小規模のガリー、登山道周辺等で発生した登山者による踏圧や野生動物による食害等により植生が衰退した箇所の植生復元方法としても有効である。
【図面の簡単な説明】
【００５３】
【図１】（ａ）本発明の裸地の植生復元方法の第１の態様を概略的に示す断面図である。（ｂ）本発明の裸地の植生復元方法の第２の態様を概略的に示す断面図である。（ｃ）本発明の裸地の植生復元方法の第３の態様を概略的に示す断面図である。（ｄ）本発明の裸地の植生復元方法の第５の態様を概略的に示す断面図である。
【符号の説明】
【００５４】
１  裸地
２  採取土
３  石礫あるいは木材チップ
４  ファイバー類
５  挿し木
【図１】
2006104755.tif 000003